(57)【特許請求の範囲】
【請求項１】
羽根を有するロータ部と、該ロータ部の回転軸を回転自在に支持するロータ支持部と、前記羽根とともに前記ロータ部と前記ロータ支持部とを収容する枠部とからなる軸流ファンモータの磁気を遮蔽する軸流ファンモータ用磁気遮蔽装置であって、前記軸流ファンモータの前後に、前記回転軸方向にほぼ直角に、かつ前記ロータ部および前記ロータ支持部のそれぞれに近接して、前記ロータ部の外径より大きい外径で、大きい透磁率を有する遮蔽板をそれぞれ配設するとともに、該２個の遮蔽板相互間を、大きい透磁率を有し、前記回転軸心を中心に対称的に配設された複数の遮蔽帯部材により磁気的に接続したことを特徴とする軸流ファンモータ用磁気遮蔽装置。
【発明の詳細な説明】
【０００１】
【産業上の利用分野】
本発明は、各種の電子機器または電子装置の冷却などに使用される軸流ファンモータの磁気遮蔽装置に関する。
【０００２】
【従来の技術】
従来、この種の磁気遮蔽装置としては、例えば図５に示すようなものがある。
図５において、軸流ファンモータ１は、複数の送風用の羽根２が周囲に固着されたロータ部３と、該ロータ部３を回転自在に支持するロータ支持部４と、前記羽根２とともに前記ロータ部３と前記ロータ支持部４とを、内部に収容する円筒状の胴部を有する枠部５とからなっている。
【０００３】
そして、前記ロータ部３の表面を覆うような遮蔽板６と、前記枠部５の周囲に沿って遮蔽枠７を配設し、これにより前記モータ１の側面部周辺と通風路８の通風方向に漏洩される磁束を遮蔽している。
しかし、前記遮蔽板６と遮蔽枠７による磁気遮蔽装置では、通風路周辺から漏洩される磁束には効果がないため、この点を改良したものが、すでに提案されている。（実開昭５５−６４７０号公報）
【０００４】
前記改良された磁気遮蔽装置を、図６に示す。
すなわち、図６の磁気遮蔽装置１０は、前記遮蔽板６のほかに、前記モータ１の通風路８に対応して開口された開口部１１と前記ロータ部３側とを除いた部分と、前記枠部５の周囲に沿った遮蔽枠７とを一体形成された遮蔽カバー１２を、前記モータ１に配設するとともに、該遮蔽カバー１２の表面上で、少なくとも軸流方向の２方向の位置に垂直板１３を設け、該垂直板１３で、前記遮蔽板６と前記遮蔽カバー１２とを、一体的に形成したものである。
【０００５】
【発明が解決しようとする課題】
しかしながら、図６に示される前記従来の磁気遮蔽装置１０でも、前記モータ１の通風路８に対応して開口された開口部１１からの磁束の漏洩を、完全に遮蔽できないばかりか、完全に遮蔽しようとすればするほど、前記遮蔽装置１０自体が通風路の抵抗となり、風量の損失をきたすという問題点があった。
【０００６】
前記問題点の漏洩磁束については、該磁束の流れを軽視した点にある。すなわち、前記モータ１の一方の側から流出した磁束を単に遮蔽しただけでは、前記遮蔽カバー１２の周辺の磁束は減少しても、該遮蔽カバー１２の後方周辺から磁束が流出し、結局は、空気中を通って、該モータ１の他方の側に流入するため、漏洩磁束が完全にはなくならず、さらに遮蔽を強化するというジレンマに陥っていた。
【０００７】
本発明はかかる点に鑑みなされたもので、その目的は前記問題点を解消し、前記軸流ファンモータからの漏洩磁束を、従来のものに比べて、極めてよく遮蔽するとともに、風量の損失がほとんどない軸流ファンモータ用磁気遮蔽装置を提供することにある。
【０００８】
【課題を解決するための手段】
前記目的を達成するための本発明の構成は、次のとおりである。
【０００９】
（１）羽根を有するロータ部と、該ロータ部の回転軸を回転自在に支持するロータ支持部と、前記羽根とともに前記ロータ部と前記ロータ支持部とを収容する枠部とからなる軸流ファンモータの磁気を遮蔽する軸流ファンモータ用磁気遮蔽装置であって、前記軸流ファンモータの前後に、前記回転軸方向にほぼ直角に、かつ前記ロータ部および前記ロータ支持部のそれぞれに近接して、前記ロータ部の外径より大きい外径で、大きい透磁率を有する遮蔽板をそれぞれ配設するとともに、該２個の遮蔽板相互間を、大きい透磁率を有し、前記回転軸心を中心に対称的に配設された複数の遮蔽帯部材により磁気的に接続したことを特徴とする。
【００１３】
【作用】
本発明は以上のように構成されているので、透磁率の大きい材質、例えば、磁性材、特に、けい素鋼板またはパーマロイなどからなる遮蔽板を、軸流ファンモータのロータ部およびロータ支持部のそれぞれに近接して配設し、該２個の遮蔽板の相互間を、同材質の遮蔽帯部材により磁気的に接続して、透磁率の大きい磁気回路を構成している。この磁気回路により、前記モータから外部に漏洩する磁束を遮蔽している。
【００１４】
【実施例】
以下、図面に基づいて本発明の好適な実施例を例示的に詳しく説明する。
図１は、本発明の軸流ファンモータ用磁気遮蔽装置の一実施例を示し、該磁気遮蔽装置とそれを装着する前記モータの斜視図である。同図において、図５と同一部材には同一符号を付して、その説明を省略する。
【００１５】
図１において、磁気遮蔽装置２０は、前記軸流ファンモータ１の軸流（回転軸方向）の前後方向で、回転軸方向にほぼ直角に、かつ前記ロータ部３および前記ロータ支持部４のそれぞれに近接して、前記ロータ部３の外径より、大きい外径、または若干大きい外径を有し、かつ透磁率の大きい材質、例えば、鉄系磁性材、特にけい素鋼板またはパーマロイなどからなる遮蔽板２１を、それぞれ配設する。そして、該２個の遮蔽板２１，２１の相互間を、前記同様の透磁率の大きい材質からなり、かつ前記モータ１の回転軸心を中心に、対称的に配設された複数（本実施例では２個）の遮蔽帯部材２２，２２により磁気的に接続したものである。
なお、前記モータ１が小型の場合や必要により、前記遮蔽帯部材２２に代えて、同様な材質で、柔軟性のある、例えばリボン電線のような遮蔽帯を採用してもよい。
【００１６】
ところで、前記軸流ファンモータ１単独の場合における、該モータ１からの漏洩磁束の測定した結果、図７に示すように、磁束は、ロータ支持部４から流出してロータ部３に流入している。
【００１７】
従って、前記軸流ファンモータ１に、前記磁気遮蔽装置２０を装着した場合、ロータ支持部４から流出した磁束は、該ロータ支持部４に近接して配設されている、透磁率の大きい一方の前記遮蔽板２１に流入し、該遮蔽板２１を接続する遮蔽帯部材２２，２２内を通って、ロータ部３に近接して配設されている、同様の他方の遮蔽板２１に達した後、ロータ部３に流入して、その間空気中を通らずに、前記磁束は一巡する。
この結果、空気中への磁束の漏洩を防止することができる。
【００１８】
図２は、前記軸流ファンモータ１に、前記磁気遮蔽装置２０を装着した場合の該モータ１からの漏洩磁束を測定した結果で、図８は、前記軸流ファンモータ１に、図５に示される従来の遮蔽板６を、前記ロータ部３および前記ロータ支持部４のそれぞれに近接して配設した場合の、該モータ１から流出する漏洩磁束を測定した結果である。
これらの結果から、従来の磁気遮蔽板６が２個のみでは、図８に示すように、１．５ガウス程度の漏洩磁束が検出されるが、本実施例による磁気遮蔽装置２０では、図２に示すように、０．５ガウスの漏洩磁束と、１／３に低下していることが分かる。
【００１９】
図３は、本発明の軸流ファンモータ用磁気遮蔽装置の他の例を示すもので、その磁気遮蔽装置３０は、前記同様に透磁率の大きい材質からなり、図１における遮蔽帯部材２２，２２に代えて、前記軸流ファンモータ１を内部に収容するとともに、軸流方向に前記通風路８に対応して開口された開口部３１，３１が形成され、かつ前記遮蔽板２１，２１の相互間を、対称的に配設された複数（本実施例では２個）の遮蔽帯部材３２，３２により磁気的に接続された遮蔽ケース３３にしたものである。
その作用は、前記実施例と同様である。
【００２０】
本例による磁気遮蔽装置３０は、前記モータ１から漏洩磁束が流出するロータ支持部４と、該磁束が流入するロータ部３との相互間を、透磁率の大きい磁気回路を構成する前記遮蔽板２１，２１と前記遮蔽ケース３２とにより、短絡するように接続して、磁気遮蔽したものである。
前記磁気遮蔽装置３０によれば、前記遮蔽ケース３２により、前記モータ１を内部に収容するので、ロータ支持部４とロータ部３に流出入する漏洩磁束以外の漏洩磁束にも遮蔽の効果がある。
【００２１】
図４は、本発明の軸流ファンモータ用磁気遮蔽装置のさらに他の例を示すもので、その磁気遮蔽装置４０は、前記同様に透磁率の大きい材質からなり、図１における遮蔽帯部材２２の途中に、該遮蔽装置４０を前記モータ１の枠部５に取付のため、鉄系の磁性材からなる締結部材、例えばネジ４１およびナット４２を介して、締結するとともに、磁気的に接続したものである。
その作用は、前記実施例と同様である。
【００２２】
なお、本発明の技術は前記実施例における技術に限定されるものではなく、同様な機能を果たす他の態様の手段によってもよく、また本発明の技術は前記構成の範囲内において種々の変更、付加が可能である。
【００２３】
【発明の効果】
以上の説明から明らかなように本発明の軸流ファンモータ用磁気遮蔽装置によれば、羽根を有するロータ部と、該ロータ部の回転軸を回転自在に支持するロータ支持部と、前記羽根とともに前記ロータ部と前記ロータ支持部とを収容する枠部とからなる軸流ファンモータの磁気を遮蔽する軸流ファンモータ用磁気遮蔽装置であって、前記軸流ファンモータの前後に、前記回転軸方向にほぼ直角に、かつ前記ロータ部および前記ロータ支持部のそれぞれに近接して、前記ロータ部の外径より大きい外径で、大きい透磁率を有する遮蔽板をそれぞれ配設するとともに、該２個の遮蔽板相互間を、大きい透磁率を有し、前記回転軸心を中心に対称的に配設された複数の遮蔽帯部材により磁気的に接続したので、軸流ファンモータからの漏洩磁束を、従来のものに比べて、極めてよく遮蔽できるとともに、風量の損失をほとんどなくすことができる。
【図面の簡単な説明】
【図１】本発明の軸流ファンモータ用磁気遮蔽装置の一実施例を示し、該磁気遮蔽装置とそれを装着する前記モータの斜視図である。
【図２】軸流ファンモータに、図１の磁気遮蔽装置を装着した場合の該モータからの漏洩磁束を測定した結果を示す図である。
【図３】図１の軸流ファンモータ用磁気遮蔽装置の他の例を示す斜視図である。
【図４】図１の軸流ファンモータ用磁気遮蔽装置のさらに他の例を示す斜視図である。
【図５】従来の軸流ファンモータ用磁気遮蔽装置を示す斜視図である。
【図６】従来の軸流ファンモータ用磁気遮蔽装置の他の例を示す斜視図である。
【図７】軸流ファンモータからの漏洩磁束を測定した結果を示す図である。
【図８】軸流ファンモータに、図５の従来の遮蔽板６を、ロータ部およびロータ支持部のそれぞれに近接して配設した場合の該モータからの漏洩磁束を測定した結果を示す図である。
【符号の説明】
１  軸流ファンモータ
２  羽根
３  ロータ部
４  ロータ支持部
５  枠部
８  通風路
２０，３０，４０  軸流ファンモータ用磁気遮蔽装置
２１  遮蔽板
２２，３２  遮蔽帯部材
３１  開口部
３３  遮蔽ケース
４１  ネジ
４２  ナット
【図１】
0003629299.tif 000002
【図２】
0003629299.tif 000003
【図３】
0003629299.tif 000004
【図４】
0003629299.tif 000005
【図５】
0003629299.tif 000006
【図６】
0003629299.tif 000007
【図７】
0003629299.tif 000008
【図８】
0003629299.tif 000009